(57)【要約】【課題】他の発光源からの光が入賞口側を照らすことを防止して、入賞装置用の発光源からの光だけが入賞口側を照らすようにすることができるパチンコ遊技機とする。【解決手段】遊技球が入球する入球口１１０及び該入球口に入球した遊技球を誘導する球通路１２０を備えた入球装置１００と、前記入球口を発光させる発光源２００とを有しており、前記球通路は、遮光性を有する壁部１２１によって構成され、該壁部には貫通孔１２５が設けられ、前記球通路における前記貫通孔が設けられた前記壁部の外側に前記発光源が配置され、前記貫通孔を通して前記発光源の光を前記球通路の内部に入射させて前記入球口側を照らす。【選択図】図５
2013158375.tif 000002
【特許請求の範囲】
【請求項１】
遊技球が入球する入球口及び該入球口に入球した遊技球を誘導する球通路を備えた入球装置と、前記入球口を発光させる発光源とを有しており、
前記球通路は、遮光性を有する壁部によって構成され、該壁部には貫通孔が設けられ、
前記球通路における前記貫通孔が設けられた前記壁部の外側に前記発光源が配置され、
前記貫通孔を通して前記発光源の光を前記球通路の内部に入射させて前記入球口側を照らすことを特徴とするパチンコ遊技機。
【請求項２】
前記球通路における前記貫通孔の近傍には、前記貫通孔における前記球通路の内壁側の開口面よりも前記球通路の内側に突出する突起部が設けられていることを特徴とする請求項１に記載のパチンコ遊技機。
【発明の詳細な説明】
【技術分野】
【０００１】
本発明はパチンコ遊技機に関し、特に、入球口の発光演出を行うパチンコ遊技機に関する。
【背景技術】
【０００２】
従来、パチンコ遊技機の中には、入球口を発光させる演出を行うものがある。このようなパチンコ遊技機としては、例えば、入球装置における入球口の後方に設けられた球通路を、透光性を有する部材により形成すると共に、球通路の後方に発光源を配置し、発光源から出射した光が、球通路を透過して前方の入球口を照らすようになっているものがある（例えば、特許文献１参照）。
【先行技術文献】
【特許文献】
【０００３】
【特許文献１】特開２００９−０１８０２０号公報
【発明の概要】
【発明が解決しようとする課題】
【０００４】
しかしながら、前記した特許文献１のようなパチンコ遊技機では、他の発光演出のための発光源を球通路の近傍に配置したり、距離が近くなくても発光強度の高い他の発光源を球通路の周囲に配置したりすると、その光が球通路の壁部を通して球通路の内部に入り込む虞がある。この場合、例えば、入球装置用の発光源と他の発光源とを互いに異なる発光色で発光させると、入球装置の入球口から本来見えるべきでない色の光が見えるようになり、入球口の発光演出に悪影響を及ぼすという問題が生じてしまう。
【０００５】
本発明は、このような事情に鑑みてなされたものであり、他の発光源からの光が入球口側を照らすことを防止して、入球装置用の発光源からの光だけが入球口側を照らすようにすることができるパチンコ遊技機を提供することを目的とする。
【課題を解決するための手段】
【０００６】
かかる課題を解決するために、本発明の請求項１に係る発明は、遊技球が入球する入球口及び該入球口に入球た遊技球を誘導する球通路を備えた入球装置と、前記入球口を発光させる発光源とを有しており、前記球通路は、遮光性を有する壁部によって構成され、該壁部には貫通孔が設けられ、前記球通路における前記貫通孔が設けられた前記壁部の外側に前記発光源が配置され、前記貫通孔を通して前記発光源の光を前記球通路の内部に入射させて前記入球口側を照らすパチンコ遊技機としたことを特徴とする。
【０００７】
ここで、本発明における球通路の壁部の遮光性とは、他の発光源からの光が入球口側を照らして入球装置の入球口から本来見えるべきでない色の光が見える、ということがない程度の遮光性であれば良く、必ずしも全ての光を通さないように完全に遮光している状態を指すものではない。遮光性の程度は、他の発光源との位置関係や他の発光源の光の強さ等で適宜決定されるものである。
【０００８】
請求項１に係る発明によれば、他の発光源からの光が球通路の内部に入り込むことを防止しつつ、入球装置用の発光源からの光を球通路の内部に入射させることで、他の発光源からの光が入球口側を照らすことを防止して、入球装置用の発光源からの光だけが入球口側を照らすようにすることができる。
【図面の簡単な説明】
【０００９】
【図１】本発明の実施の形態におけるパチンコ遊技機を示す正面図である。
【図２】同パチンコ遊技機の窓枠が開放された状態を示す前方斜視図である。
【図３】同パチンコ遊技機の遊技盤を示す正面図である。
【図４】同パチンコ遊技機の第１の一般入賞装置を示す拡大正面図である。
【図５】図４のＡ−Ａ断面図である。
【図６】同パチンコ遊技機の第１の変形例の可変入賞装置を示す正面図である。
【図７】同パチンコ遊技機の第１の変形例の可変入賞装置を示す左側面図である。
【図８】同パチンコ遊技機の第１の変形例の可変入賞装置を示す裏面図である。
【図９】同パチンコ遊技機の第２の変形例の大入賞装置を示す右側面図である。
【発明を実施するための形態】
【００１０】
以下、本発明の実施の形態におけるパチンコ遊技機について図面を参照しながら説明する。なお、以下の説明では、パチンコ遊技機を遊技者から見て、手前側をパチンコ遊技機の前側とし、奥側をパチンコ遊技機の後側として、前後方向を規定する。また、パチンコ遊技機を遊技者から見て、左手側をパチンコ遊技機の左側とし、右手側をパチンコ遊技機の右側として、左右方向を規定する。
【００１１】
まず、本実施の形態のパチンコ遊技機の全体的な構成について、図１〜図３を用いて説明する。図１〜図３に示すように、本実施の形態のパチンコ遊技機１は、主として、外枠２と、中枠３と、窓枠４と、により構成される枠体に、各種の遊技部品が取り付けられて形成される。
【００１２】
外枠２は、パチンコ遊技機１の外郭を成し、前後面が開口された略四角筒状に形成される枠体である。外枠２は、パチンコホール等の遊技場に設けられた台島に設置される。外枠２には、中枠３が設けられる。
【００１３】
中枠３は、前後面が開口された略四角筒状に形成される枠体である。中枠３は、外枠２の前側の開口部にヒンジ等の軸支部材を介して回動可能に支持される。中枠３には、窓枠４と、下皿ユニット５と、遊技盤６と、が設けられる。
【００１４】
窓枠４は、中央が開口された略平板状に形成される枠体である。窓枠４は、正面視で中枠３の下部を除く略全面に渡って配置される。窓枠４は、中枠３の前側の開口部にヒンジ部材を介して回動可能に支持される。窓枠４の中央には、正面視で略円形状の窓枠開口部７が形成される。窓枠開口部７は、透明板１９により被覆される。窓枠開口部７の下部には、発射前の遊技球が貯溜される上皿８が配設される。窓枠開口部７の左右上方には、スピーカ９がそれぞれ配設される。
【００１５】
下皿ユニット５は、中枠３の下部であって窓枠４の下方に取り付けられる。下皿ユニット５の中央には、上皿８から溢れた遊技球が貯溜される下皿１７が配設される。下皿ユニット５の右部であって下皿１７の右方には、発射ハンドル１８が配設される。発射ハンドル１８は、上皿８に貯溜された遊技球を発射可能に構成される。
【００１６】
遊技盤６は、遊技球が転動する領域である遊技領域２５が形成される部材である。遊技盤６は、窓枠４の後方であって、正面視で中枠３の下部を除く略全面に渡って配置される。遊技盤６は、中枠３に着脱可能に取り付けられる。なお、遊技盤６の遊技領域２５は、窓枠４の窓枠開口部７の後方に配置され、前方から透明板１９を介して視認可能に構成される。
【００１７】
次に、遊技盤６の構成について、図３を用いてさらに詳細に説明する。
【００１８】
遊技盤６は、図３に示すように、遊技板１０と、ガイドレール１１と、センター役物１２と、図柄表示装置１３と、各入賞装置と、アウト口１６等により構成される。本実施の形態では、入賞装置として、始動入賞装置２０と、可変入賞装置３００と、大入賞装置５００と、第１の一般入賞装置１００と、第２の一般入賞装置１００Ａと、第３の一般入賞装置１００Ｂと、を有している。
【００１９】
遊技板１０は、四隅が適宜に切り欠かれた略平板状に形成される部材である。遊技板１０には、遊技盤６を構成する各種の遊技部品が取り付けられる。
【００２０】
ガイドレール１１は、略円弧帯状に形成される部材である。ガイドレール１１は、遊技板１０に、前方へ向けて立ち上がり状に取り付けられる。ガイドレール１１は、正面視で略円形状を形成するように配置される。なお、遊技板１０においてガイドレール１１によって略円形状に形成された内側の領域が、遊技球が転動する領域である遊技領域２５として構成される。
【００２１】
センター役物１２は、その外観により遊技板１０を装飾する部材である。センター役物１２は正面視で略環状であって、その中央にセンター開口部２７が前後方向に貫通して形成される。センター役物１２は、遊技板１０を前後方向に貫通するように当該遊技板１０の中央から上部に渡って形成される孔（図示省略）に前方から挿入され、ボルト等によって取り付けられる。
【００２２】
図柄表示装置１３は、前方を臨むように配設された液晶画面２６に図柄や数字等の変動（図柄遊技）を表示するように構成される装置である。図柄表示装置１３は、遊技板１０の後方に配置される。より詳細には、図柄表示装置１３の液晶画面２６が、遊技板１０に取り付けられたセンター役物１２のセンター開口部２７の後方に配置される。これによって、前方からセンター開口部２７を介して液晶画面２６に表示される図柄遊技を視認することができる。
【００２３】
始動入賞装置２０は、遊技領域２５の左右中央部であってセンター役物１２の下方に配置される。なお、始動入賞装置２０は、第１の始動入賞口２１に遊技球が入球（入賞）すると信号が送られ、図示しない賞球払出装置によって所定数の遊技球（賞球）が払い出されるように構成される。
【００２４】
可変入賞装置３００は、所定の作動条件に応じて左右一対の可動片３３０が開閉作動し、第２の始動入賞口３１０に遊技球が入球（入賞）可能な開放状態と入球（入賞）不能な閉塞状態とに切り替え可能に構成される装置である。可変入賞装置３００は、遊技領域２５の左右中央部であって始動入賞装置２０の下方に配置される。なお、可変入賞装置３００は、前記開放状態において第２の始動入賞口３１０に遊技球が入球（入賞）すると信号が送られ、図示しない賞球払出装置によって所定数の遊技球（賞球）が払い出されるように構成される。
【００２５】
大入賞装置５００は、所定の大当たり抽選により大当たりが選択されると、大入賞口５１０を開放して遊技球が入球（入賞）可能に構成される装置である。大入賞装置５００は、遊技領域２５の左右中央部であって可変入賞装置３００の下方に配置される。なお、大入賞装置５００は、開放した大入賞口５１０に遊技球が入球すると信号が送られ、図示しない賞球払出装置によって所定数の遊技球（賞球）が払い出されるように構成される。
【００２６】
第１の一般入賞装置１００は、上面がポケット状に開口されるとともに、背面が遊技板１０を前後に貫通するように開口され、遊技盤６上の遊技領域２５を流下する遊技球が入球（入賞）する第１の一般入賞口１１０と、当該第１の一般入賞口１１０に入賞した遊技球を誘導する第１の一般入賞球通路１２０（図４に図示）と、を備えている。そして、第１の一般入賞口１１０の上面の開口を介して遊技球が入球（入賞）して第１の一般入賞球通路１２０を通過していく過程で信号が送られ、図示しない賞球払出装置によって所定数の遊技球（賞球）が払い出されるように構成されるものである。なお、第１の一般入賞装置１００の第１の一般入賞口１１０は、センター役物１２の左下方に配置される。
【００２７】
第２の一般入賞装置１００Ａは、上面がポケット状に開口されるとともに、背面が遊技板１０を前後に貫通するように開口され、遊技盤６上の遊技領域２５を流下する遊技球が入球（入賞）する第２の一般入賞口１１０Ａと、当該第２の一般入賞口１１０Ａに入賞した遊技球を誘導する第２の一般入賞球通路（図示省略）と、を備えている。そして、第２の一般入賞口１１０Ａの上面の開口を介して遊技球が入球（入賞）して第２の一般入賞球通路を通過していく過程で信号が送られ、図示しない賞球払出装置によって所定数の遊技球（賞球）が払い出されるように構成されるものである。なお、第２の一般入賞装置１００Ａの第１の一般入賞口１１０Ａは、第１の一般入賞口１１０の右下方であって可変入賞装置３００の左方に配置される。
【００２８】
第３の一般入賞装置１００Ｂは、上面がポケット状に開口されるとともに、背面が遊技板１０を前後に貫通するように開口され、遊技盤６上の遊技領域２５を流下する遊技球が入球（入賞）する第３の一般入賞口１１０Ｂと、当該第３の一般入賞口１１０Ｂに入賞した遊技球を誘導する第３の一般入賞球通路（図示省略）と、を備えている。そして、第３の一般入賞口１１０Ｂの上面の開口を介して遊技球が入球（入賞）して第３の一般入賞球通路を通過していく過程で信号が送られ、図示しない賞球払出装置によって所定数の遊技球（賞球）が払い出されるように構成されるものである。なお、第３の一般入賞装置１００Ｂの第３の一般入賞口１１０Ｂは、可変入賞装置３００の右方に配置される。
【００２９】
なお、本実施の形態の第１〜第３の一般入賞口１１０，１１０Ａ，１１０Ｂは、当該第１〜第３の一般入賞口１１０，１１０Ａ，１１０Ｂの後方に配置された発光源からの光で発光するようになっている。詳しくは後述する。
【００３０】
アウト口１６は、遊技領域２５を転動する遊技球が、大入賞口５１０や第１の始動入賞口２１、第２の始動入賞口３１０、第１〜第３の一般入賞口１１０，１１０Ａ，１１０Ｂ等の各入賞口に入球（入賞）しなかった場合に、最終的に流入する開口部である。アウト口１６は、遊技領域２５の最下部に配置される。なお、アウト口１６に流入した遊技球は、パチンコ遊技機１が設置されたパチンコホール等の遊技場側に回収される。
【００３１】
次に、一般入賞装置と発光源に関わる構成について、図４〜図５を用いてさらに詳細に説明する。なお、第２の一般入賞装置１００Ａ及び第３の一般入賞装置１００Ｂと発光源に関わる構成は、第１の一般入賞装置１００と発光源に関わる構成と同様であるので、以下では第１の一般入賞装置１００と発光源に関わる構成の説明のみを記載し、第２の一般入賞装置１００Ａ及び第３の一般入賞装置１００Ｂと発光源に関わる構成については説明を省略する。
【００３２】
本実施の形態の第１の一般入賞口１００は、第１の一般入賞口１１０と第１の一般入賞球通路１２０とを備えている。このうち、第１の一般入賞口１１０は、その壁部１１１が透光性を有する部材で構成されている（ここでは透明な樹脂で構成されており、特に青透明の樹脂で構成されている）。そして、第１の一般入賞口１１０における遊技板１０の前方に突出した箇所の上面がポケット状に開口され、背面が遊技板１０を前後に貫通するように開口されており、遊技盤６上の遊技領域２５を流下する遊技球の一部が入球（入賞）して遊技板１０の後方に転がるようになっている。
【００３３】
また、本実施の形態では、第１の一般入賞口１１０における遊技板１０の前面側から当該遊技板１０の内部を通って当該遊技板１０の後面側まで、案内突起１１３が設けられている。この案内突起１１３は、第１の一般入賞口１１０の壁部１１１との間に遊技球が１個通過可能な程度の間隙を有するように形成されており、第１の一般入賞口１１０に入賞した遊技球を第１の一般入賞球通路１２０の方に誘導する役割を担う。なお、この案内突起１１３は、後述する２つのＬＥＤ２２０の光が第１の一般入賞口１１０側に照らされるのを遮らないように、ＬＥＤ２２０同士の間に形成されている。
【００３４】
また、第１の一般入賞球通路１２０は、第１の一般入賞口１１０を介して遊技板１０の後方に転がってきた遊技球を所定の回収領域に誘導する通路であり、遊技板１０の後面における第１の一般入賞口１１０の後方に配置されている。本実施の形態の第１の一般入賞球通路１２０は、図４に示すように、上下方向に設けられた通路で遊技球を一旦下方に誘導した後、左右の斜め方向に設けられた通路で遊技球を左右方向に誘導していくように形成されている。
【００３５】
また、この第１の一般入賞球通路１２０は、遮光性を有する壁部１２１で略四角筒形状に構成されており、具体的には、図５に示すように、前側と側面の一部を構成する前壁１２２、後側と側面の一部を構成する後壁１２３、当該後壁１２３のうち、第１の一般入賞口１１０のまっすぐ後方に位置して遊技球を下方へ誘導するように斜めに形成された案内壁１２４等の全ての壁部１２１が遮光性を有する部材で構成されている（ここでは不透明な樹脂で構成されており、特に黒色の不透明な樹脂で構成されている）。そして、前壁１２２のうち、第１の一般入賞口１１０の背面側の開口が位置する箇所に開口部１２７が形成されており、ここから遊技球が流入するようになっている。
【００３６】
また、第１の一般入賞口１１０のほぼまっすぐ後方に位置する後壁１２３には、貫通孔１２５が形成されている。本実施の形態では、第１の一般入賞口１１０のまっすぐ後方に案内壁１２４が設けられているため、当該案内壁１２４に貫通孔１２５が形成されており、当該貫通孔１２５は２つ横並びに形成されている。そして、貫通孔１２５が設けられた案内壁１２４の外側に、第１の一般入賞口１１０を発光させるための第１の一般入賞口用発光源２００が配置されている。本実施の形態の第１の一般入賞口用発光源２００は、発光基板２１０に２つのＬＥＤ２２０が横に並んで配置されたものであり、当該ＬＥＤ２２０が貫通孔１２５のまっすぐ後方で他の発光源からの光が隙間から入り込まない程度の距離を置いた位置に配置されるようになっている。なお、ＬＥＤ２２０の位置が、貫通孔１２５に対して近づき過ぎていると、第１の一般入賞球通路１２０に流入してきた遊技球でＬＥＤ２２０が破損してしまう虞があるため、貫通孔１２５とＬＥＤ２２０は、他の発光源からの光が入り込まないある程度の距離を保つことが好ましい。
【００３７】
このＬＥＤ２２０の光は、貫通孔１２５を通して第１の一般入賞球通路１２０の内部に入射し、第１の一般入賞口１１０側を照らすようになっている。本実施の形態では、第１の一般入賞口１１０の前壁１１２に、光が丁度届くような位置及び角度に、ＬＥＤ２２０が配置されている。そして、第１の一般入賞口１１０の壁部１１１が透光性を有する部材で構成されているため、ＬＥＤ２２０の光が第１の入賞口１１０から遊技盤６の表面側に透過し、第１の一般入賞口１１０全体が発光しているような状態を作り出すことができるものである。
【００３８】
なお、本実施の形態の貫通孔１２５は、遊技球の径よりも小さい開口に形成されている。これにより、第１の一般入賞球通路１２０に流入した遊技球が貫通孔１２５から外部に飛び出してしまったり、第１の一般入賞球通路１２０に流入した遊技球が貫通孔１２５からその外側に配置された発光源２００に衝突して発光源２００が損傷したりすることを防止することができるようになっている。
【００３９】
また、本実施の形態では、第１の一般入賞口１１０側から転がってきた遊技球が案内壁１２４に当たった際の衝撃ができるだけ第１の一般入賞口用発光源２００に伝わらないように、貫通孔１２５が案内壁１２４の上部に形成されている。これにより、第１の一般入賞口用発光源２００から第１の一般入賞口１１０側を照らす光を確保しつつ、第１の一般入賞口用発光源２００に不具合が起きにくい構成となっている。
【００４０】
また、本実施の形態では、第１の一般入賞球通路１２０の案内壁１２４に形成された２つの貫通孔１２５の近傍（ここでは２つの貫通孔１２５の間）に、当該貫通孔１２５における第１の一般入賞球通路１２０の内壁側の開口面１２８よりも第１の一般入賞球通路１２０の内側（ここでは第１の一般入賞口１１０側）に突出した突起部１２６が設けられている。この突起部１２６は、第１の一般入賞球通路１２０に転がってきた遊技球が、後方に第１の一般入賞口用発光源２００を有する貫通孔１２５付近に当たったり、貫通孔１２５内に進入してしまったりしないように、第１の一般入賞口用発光源２００の保護の役割を担っている。
【００４１】
具体的には、第１の一般入賞口１１０側から第１の一般入賞球通路１２０に転がってきた遊技球が、貫通孔１２５に到達する前に突起部１２６に当接することで、遊技球が貫通孔１２５付近に当たったり、遊技球が貫通孔１２５内に進入してしまったりすることを防止できる。このため、例えば、第１の一般入賞口用発光源２００を貫通孔１２５に近距離で配置した場合でも、転がってきた遊技球が第１の一般入賞口用発光源２００に衝突することを防止できる。これにより、さらに第１の一般入賞口用発光源２００に不具合が起きにくい構成となっている。
【００４２】
また、本実施の形態の突起部１２６は、第１の一般入賞球通路１２０の壁部１２１とで構成される空間に遊技球が１個通過可能な程度の間隙を有するように形成されていると共に、図５に示すように、斜めに傾斜した形状となっており、これにより、第１の一般入賞口１１０に入賞して第１の一般入賞球通路１２０に流入した遊技球を下方に誘導する役割も担っている。また、図４に示すように、この突起部１２６は、２つのＬＥＤ２２０の光が第１の一般入賞口１１０側に照らされるのを遮らないような位置に形成されている。
【００４３】
次に、本実施の形態の第１の変形例として、可変入賞装置３００に本発明の構成を適用した場合について、図６〜図８を用いて説明する。
【００４４】
本変形例の可変入賞装置３００は、ソレノイド３４０の駆動力で開閉動作する左右一対の可動片３３０の間に第２の始動入賞口３１０を備えると共に、入賞した遊技球をカウントするセンサ３５０が配置された第２の始動入賞球通路３２０を備えている。このうち、第２の始動入賞口３１０は、その図示しない壁部が透光性を有する部材で構成されている（ここでは透明な樹脂で構成されている）。そして、可動片３３０の間に位置する第２の始動入賞口３１０の上面が開口され、背面が遊技板１０を前後に貫通するように開口されており、遊技盤６上の遊技領域２５を流下する遊技球の一部が入球（入賞）して遊技板１０の後方に転がるようになっている。
【００４５】
また、第２の始動入賞球通路３２０は、第２の始動入賞口３１０を介して遊技板１０の後方に転がってきた遊技球を所定の回収領域に誘導する通路であり、遊技板１０の後面における第２の始動入賞口３１０の後方に配置されている。本変形例の第２の始動入賞球通路３２０は、図６〜図８の矢印で示したように、前後方向に設けられた通路で遊技球を一旦後方に誘導した後、上下方向に設けられた通路で遊技球を下方に誘導し、さらに左右の斜め方向に設けられた通路で遊技球を左右方向に誘導していくように形成されている。また、この第２の始動入賞球通路３２０は、遮光性を有する壁部（図示省略）で構成されている（ここでは不透明な樹脂で構成されている）。
【００４６】
また、第２の始動入賞口３１０のほぼまっすぐ後方に位置する後側の壁部には、貫通孔３２５が２つ横並びに形成されている。そして、貫通孔３２５が設けられた壁部の外側に、第２の始動入賞口３１０を発光させるための第２の始動入賞口用発光源４００が配置されている。本変形例の第２の始動入賞口用発光源４００は、２つの発光基板４１０にそれぞれＬＥＤ４２０が１つずつ配置されて当該ＬＥＤ４２０同士が横に並ぶようにされたものであり、当該ＬＥＤ４２０が貫通孔３２５のまっすぐ後方で他の発光源からの光が隙間から入り込まない程度の距離を置いた位置に配置されるようになっている。なお、ＬＥＤ４２０の位置が、貫通孔３２５に対して近づき過ぎていると、第２の始動入賞球通路３２０に流入してきた遊技球でＬＥＤ４２０が破損してしまう虞があるため、貫通孔３２５とＬＥＤ４２０は、他の発光源からの光が入り込まないある程度の距離を保つことが好ましい。
【００４７】
このＬＥＤ４２０の光は、貫通孔３２５を通して第２の始動入賞球通路３２０の内部に入射し、第２の始動入賞口３１０側を照らすようになっている。本変形例では、第２の始動入賞口３１０の前面に、光が丁度届くような位置及び角度に、ＬＥＤ４２０が配置されている。そして、第２の始動入賞口３１０の壁部が透光性を有する部材で構成されているため、ＬＥＤ４２０の光が第２の始動入賞口３１０から遊技盤６の表面側に透過し、第２の始動入賞口３１０全体が発光しているような状態を作り出すことができるものである。なお、可動片３３０も透光性を有する部材で構成しておけば、可動片３３０も同時に発光させることができる。
【００４８】
なお、本変形例の貫通孔３２５は、遊技球の径よりも小さい開口に形成されている。これにより、第２の始動入賞球通路３２０に流入した遊技球が貫通孔３２５から外部に飛び出してしまったり、第２の始動入賞球通路３２０に流入した遊技球が貫通孔３２５からその外側に配置された第２の始動入賞口用発光源４００に衝突して当該第２の始動入賞口用発光源４００が損傷したりすることを防止することができるようになっている。
【００４９】
また、本変形例では、第２の始動入賞口３１０側から転がってきた遊技球が壁部に当たった際の衝撃ができるだけ第２の始動入賞口用発光源４００に伝わらないように、貫通孔３２５が壁部の上部に形成されている。これにより、第２の始動入賞口用発光源４００から第２の始動入賞口３１０側を照らす光を確保しつつ、第２の始動入賞口用発光源４００に不具合が起きにくい構成となっている。
【００５０】
次に、本実施の形態の第２の変形例として、大入賞装置５００に本発明の構成を適用した場合について、図９を用いて説明する。
【００５１】
本変形例の大入賞装置５００は、前後方向に回動する可動片５３０で開閉される大入賞口５１０を備えると共に、大入賞球通路５２０を備えている。このうち、大入賞口５１０は、その壁部や可動片５３０の少なくとも一部が透光性を有する部材で構成されている（ここでは一部が透明な樹脂で構成されている）。そして、可動片５３０が開くと大入賞口５１０の前方が開放されるようになっており、遊技盤６上の遊技領域２５を流下する遊技球の一部が入球（入賞）して遊技板１０の後方に転がるようになっている。
【００５２】
また、大入賞球通路５２０は、大入賞口５１０を介して遊技板１０の後方に転がってきた遊技球を所定の回収領域に誘導する通路であり、遊技板１０の後面における大入賞口５１０の後方に配置されている。本変形例の大入賞球通路５２０は、左右の斜め方向に設けられた通路で遊技球を左右方向に誘導していくように形成されている。また、大入賞球通路５２０は、遮光性を有する壁部５２１で構成されている（ここでは不透明な樹脂で構成されている）。
【００５３】
また、壁部５２１のうち、大入賞口５１０のほぼまっすぐ後方に位置する後壁５２３には、貫通孔５２５が１つ形成されている。そして、貫通孔５２５が設けられた後壁５２３の外側に、大入賞口５１０を発光させるための大入賞口用発光源６００が配置されている。本変形例の大入賞口用発光源６００は、発光基板６１０にＬＥＤ６２０が１つ配置されたものであり、当該ＬＥＤ６２０が貫通孔５２５のまっすぐ後方で他の発光源からの光が隙間から入り込まない程度の距離を置いた位置に配置されるようになっている。なお、ＬＥＤ６２０の位置が、貫通孔５２５に対して近づき過ぎていると、大入賞球通路５２０に流入してきた遊技球でＬＥＤ６２０が破損してしまう虞があるため、貫通孔５２５とＬＥＤ６２０は、他の発光源からの光が入り込まないある程度の距離を保つことが好ましい。
【００５４】
このＬＥＤ６２０の光は、貫通孔５２５を通して大入賞球通路５２０の内部に入射し、大入賞口５１０側を照らすようになっている。本変形例では、大入賞口５１０の前面側に、光が丁度届くような位置及び角度に、ＬＥＤ６２０が配置されている。そして、大入賞口５１０の壁部が透光性を有する部材で構成されているため、ＬＥＤ６２０の光が大入賞口５１０から遊技盤６の表面側に透過し、大入賞口５１０全体が発光しているような状態を作り出すことができるものである。なお、本変形例では可動片５３０も透光性を有するため、可動片５３０も同時に発光させることができる。
【００５５】
なお、本変形例の貫通孔５２５は、遊技球の径よりも小さい開口に形成されている。これにより、大入賞球通路５２０に流入した遊技球が貫通孔５２５から外部に飛び出してしまったり、大入賞球通路５２０に流入した遊技球が貫通孔５２５からその外側に配置された大入賞口用発光源６００に衝突して当該大入賞口用発光源６００が損傷したりすることを防止することができるようになっている。
【００５６】
なお、前記した一般入賞装置１００や可変入賞装置３００、大入賞装置５００の他の入賞装置、例えば始動入賞装置２０が発光するようになっており、その際に、前記した実施の形態と同様の構成を有していても良い。この場合には、前記した一般入賞装置１００と同様に、始動入賞装置２０の遮光性を有する壁部で構成された球通路に貫通孔を有し、その外側に発光源を有する構成となる。その他詳細については、前記した一般入賞装置１００と同様となるため、説明を省略する。
【００５７】
また、前記した実施の形態では、本発明の入球装置として各入賞装置を例に説明したが、本発明の入球装置は、必ずしも賞の付与（例えば、賞球の払出し）を伴う装置である必要はなく、賞の付与を伴わない装置であっても良い。
【００５８】
以上のように、本実施の形態のパチンコ遊技機１は、遊技球が入球（入賞）する入球（入賞）口（第１〜第３の一般入賞口１１０，１１０Ａ，１１０Ｂ、第１の始動入賞口２１、第２の始動入賞口３１０、大入賞口５１０等）及び該入球口に入球した遊技球を誘導する球通路（第１の一般入賞球通路１２０、第２の始動入賞球通路３２０、大入賞球通路５２０等）を備えた入球（入賞）装置（第１〜第３の一般入賞装置１００，１００Ａ，１００Ｂ、始動入賞装置２０、可変入賞装置３００、大入賞装置５００等）と、前記入球口を発光させる発光源（第１の一般入賞口用発光源２００、第２の始動入賞口用発光源４００、大入賞口用発光源６００等）とを有しており、前記球通路は、遮光性を有する壁部（第１の一般入賞球通路１２０の壁部１２１、第２の始動入賞球通路３２０の壁部、大入賞球通路５２０の壁部５２１等）によって構成され、該壁部（特には、第１の一般入賞球通路１２０の案内壁１２４、大入賞球通路５２０の後壁５２３等）には、遊技球の径よりも小さい開口の貫通孔（第１の一般入賞装置１００の貫通孔１２５、可変入賞装置３００の貫通孔３２５、大入賞装置５００の貫通孔５２５等）が設けられ、前記球通路における前記貫通孔が設けられた前記壁部の外側に前記発光源が配置され、前記貫通孔を通して前記発光源の光を前記球通路の内部に入射させて前記入球口側を照らすパチンコ遊技機としたことを特徴とする。
【００５９】
そして、本実施の形態によれば、他の発光源からの光が球通路（第１の一般入賞球通路１２０、第２の始動入賞球通路３２０、大入賞球通路５２０等）の内部に入り込むことを防止しつつ、入球（入賞）装置（第１〜第３の一般入賞装置１００，１００Ａ，１００Ｂ、始動入賞装置２０、可変入賞装置３００、大入賞装置５００等）用の発光源（第１の一般入賞口用発光源２００、第２の始動入賞口用発光源４００、大入賞口用発光源６００等）からの光を球通路の内部に入射させることで、他の発光源からの光が入球（入賞）口（第１〜第３の一般入賞口１１０，１１０Ａ，１１０Ｂ、第１の始動入賞口２１、第２の始動入賞口３１０、大入賞口５１０等）側を照らすことを防止して、入球装置用の発光源からの光だけが入球口側を照らすようにすることができる。
【００６０】
また、本実施の形態のパチンコ遊技機１は、球通路（第１の一般入賞球通路１２０等）における前記貫通孔（第１の一般入賞装置１００の貫通孔１２５等）の近傍には、前記貫通孔における前記球通路の内壁側の開口面（第１の一般入賞装置１００の貫通孔１２５における第１の一般入賞球通路１２０の内壁側の開口面１２８等）よりも前記球通路の内側に突出する突起部１２６が設けられている。
【００６１】
そして、本実施の形態によれば、入球口（第１の一般入賞口１１０等）側から球通路（第１の一般入賞球通路１２０等）に転がってきた遊技球が、貫通孔（第１の一般入賞装置１００の貫通孔１２５等）に到達する前に突起部１２６に当接することで、遊技球が貫通孔付近に当たったり、遊技球が貫通孔内に進入してしまったりすることを防止できる。このため、発光源（第１の一般入賞口用発光源２００等）を貫通孔に近距離で配置した場合でも、転がってきた遊技球が発光源に衝突することを防止できる。これにより、前記した貫通孔と発光源の構成に加えて、さらに発光源２００（第１の一般入賞口用発光源２００等）に不具合が起きにくい構成とすることができる。
【００６２】
なお、以上説明した各実施の形態は、本発明の理解を容易にするために記載されたものであって、本発明を限定するために記載されたものではない。
【００６３】
例えば、前記した実施の形態では、入賞口の壁部は透光性を有する部材で構成されていたが、本発明はこれに限るものではなく、入賞口の壁部が遮光性を有する部材で構成されていても良い。なお、透光性を有する壁部で構成された入賞口の場合には、発光源の光で入賞口全体が発光しているような状態となるのに対し、遮光性を有する壁部で構成された入賞口の場合には、発光源の光で入賞口から光が漏れ出るような状態となり、異なる発光演出となる。
【００６４】
また、入賞口の壁部が、透光性を有する部材と遮光性を有する部材の双方を部分的に用いた状態で形成されていても良い。この場合は、遮光性を有する部材で形成された壁部に対して、透光性を有する部材で形成された壁部が特に明るく光る状態となる。
【００６５】
また、前記した実施の形態では、貫通孔及び発光源は球通路の後方に設けられており、入賞口側に向けて後方からまっすぐ光を出射するようになっていたが、本発明はこれに限るものではなく、例えば、貫通孔及び発光源が球通路の側方や上方等に設けられており、発光源からの光が貫通孔を通して入賞口側に向けて斜めに出射されるようになっていても良い。
【００６６】
また、前記した実施の形態では、入賞口の壁部が、透光性を有する部材として青透明の樹脂で構成されていたが、透光性を有する部材としてはこれに限るものではなく、無色透明の部材や他の色の透明な部材、半透明の部材等、所定量の光を通す適宜の部材で良い。
【００６７】
また、前記した実施の形態では、球通路の壁部は、遮光性を有する部材として黒色の不透明な樹脂で構成されていたが、遮光性を有する部材としてはこれに限るものではなく、他の色の不透明な樹脂や、適宜の部材に不透明な塗料をコーティングした部材でも良い。
【００６８】
また、前記した実施の形態では、球通路は略四角筒形状に形成されていたが、本発明はこれに限るものではなく、円筒形状や断面視かまぼこ形状等の適宜の形状に形成されている球通路を有する入賞装置に適用可能である。
【００６９】
また、前記した実施の形態では、遊技球の径よりも小さい開口の貫通孔として、縦寸法及び横寸法の双方が遊技球の径よりも小さい開口を有するものを例示したが、これに限るものではなく、例えば、スリット等の長孔状の貫通孔を採用することもできる。この場合には、必ずしも縦寸法及び横寸法の双方が遊技球よりも小さい開口とする必要はなく、少なくとも短手方向の幅寸法を遊技球の径よりも小さくすれば足りるものである。
【００７０】
また、本発明の貫通孔としては、スリット等を含め、必ずしも遊技球の径よりも小さい開口である必要はない。例えば、前記した実施の形態のように、遊技球が貫通孔に進入するのを防止する突起部等の構成を有しており、この構成が、確実に、貫通孔の後方の発光源を保護することができるものであれば、貫通孔の開口は遊技球の径より大きくても良い。但し、貫通孔の開口の径を遊技球の径よりも小さくしておいた方が、発光源の保護という点では、より安全であると言えるものである。
【符号の説明】
【００７１】
１…パチンコ遊技機、６…遊技盤、２０…始動入賞装置（入球装置）、２１…第１の始動入賞口（入球口）、１００…第１の一般入賞装置（入球装置）、１００Ａ…第２の一般入賞装置（入球装置）、１００Ｂ…第３の一般入賞装置（入球装置）、１１０…第１の一般入賞口（入球口）、１１０Ａ…第２の一般入賞口（入球口）、１１０Ｂ…第３の一般入賞口（入球口）、１２０…第１の一般入賞球通路（球通路）、１２１…壁部、１２２…前壁（壁部）、１２３…後壁（壁部）、１２４…案内壁（壁部）、１２５…貫通孔、１２６…突起部、２００…第１の一般入賞口用発光源（発光源）、３００…可変入賞装置（入球装置）、３１０…第２の始動入賞口（入球口）、３２０…第２の始動入賞球通路（球通路）、３２５…貫通孔、４００…第２の始動入賞口用発光源（発光源）、５００…大入賞装置（入球装置）、５１０…大入賞口（入球口）、５２０…大入賞球通路（球通路）、５２５…貫通孔、６００…大入賞口用発光源（発光源）
【図１】
2013158375.tif 000003
【図２】
2013158375.tif 000004
【図３】
2013158375.tif 000005
【図４】
2013158375.tif 000006
【図５】
2013158375.tif 000007
【図６】
2013158375.tif 000008
【図７】
2013158375.tif 000009
【図８】
2013158375.tif 000010
【図９】
2013158375.tif 000011